(57)【要約】【課題】  録画予約の対象を簡便に選択できる携帯端末装置を提供する。【解決手段】  画像取得手段で番組欄の画像を取得し、表示手段にこの画像を表示させる。指定手段でこの画像から例えばＧコードの部分を指定することで、このＧコードに対応するコマンドが制御対象に送信される。【選択図】図１
2005260672.tif 000002
【特許請求の範囲】
【請求項１】
画像を取得する画像取得手段と、
前記取得した画像を表示する表示手段と、
前記表示された画像内の位置を指定する指定手段と、
前記指定された位置に対応する表示情報を認識する認識手段と、
前記認識された表示情報に対応するコマンドを生成するコマンド生成手段と、
前記生成されたコマンドを制御対象に送信する送信手段と、
を具備することを特徴とする携帯端末装置。
【請求項２】
前記指定手段が、前記表示手段に備わるタッチパネル、もしくは前記位置を移動させるスクロール手段のいずれかを有する
ことを特徴とする請求項１に記載の携帯端末装置。
【請求項３】
前記表示情報が、Ｇコード情報を含む
ことを特徴とする請求項１に記載の携帯端末装置。
【請求項４】
前記表示手段での表示内容に含まれる情報が、Ｇコード情報であるか否かを判定するＧコード判定部と、
前記Ｇコード判定部での判定に対応して、前記表示手段での表示を変更する表示変更部と、
をさらに具備することを特徴とする請求項１に記載の携帯端末装置。
【請求項５】
ネットワークを介して、前記コマンド生成手段のコマンド用の制御コードを取得する外部情報入力部を
さらに具備することを特徴とする請求項１に記載の携帯端末装置。
【発明の詳細な説明】
【技術分野】
【０００１】
本発明は、例えば、新聞紙上のＴＶ番組欄にある録画予約用のＧコードを撮影して画像表示し、タッチパネル等を介して画像上の任意のＧコードを指定することでビデオレコーダ、ＤＶＤレコーダ等の制御対象に録画予約等のコマンドとともにＧコードを送信する携帯端末装置に関する。
【背景技術】
【０００２】
リモコンを用いて、テレビ等の番組の録画を予約する場合がある。この録画予約には、チャンネルや、録画を開始、終了する時刻を指定する必要がある。新聞等の番組欄に表されたＧコードを入力することで、番組の録画予約を容易に行える。
ここで、撮像手段を走行させることにより得られた画像信号を用いて、番組の予約を行う技術が開示されている（例えば特許文献１参照。）。
【特許文献１】特開平９−１８６８１０号公報
【発明の開示】
【発明が解決しようとする課題】
【０００３】
しかしながら、上記の先行技術では予約録画を行いたい番組の選択に際して、撮像手段を走行手段で移動させることで、その撮像範囲を調節する必要があり操作が煩雑である。
【０００４】
上記に鑑み、本発明は、録画予約の対象を簡便に選択できる携帯端末装置を提供することを目的とする。
【課題を解決するための手段】
【０００５】
上記目的を達成するため、本発明に係る携帯端末装置は、画像を取得する画像取得手段と、前記取得した画像を表示する表示手段と、前記表示された画像内の位置を指定する指定手段と、前記指定された位置に対応する表示情報を認識する認識手段と、前記認識された表示情報に対応するコマンドを生成するコマンド生成手段と、前記生成されたコマンドを制御対象に送信する送信手段と、を具備することを特徴とする。
【０００６】
画像取得手段で例えば新聞紙上からＴＶ欄の所望の部分の画像を取得すると、表示手段にＴＶ欄の画像が表示される。指定手段でＴＶ欄の画像から例えばＧコードの部分を指定すると、認識手段がＧコードの内容を認識する。そして、コマンド生成手段がＧコードに対応するコマンドを生成し、送信手段がＧコードに対応するコマンドを制御対象に送信する。
表示された画像中の位置を指定すること録画予約する番組を指定できる。画像中の位置を選択すれば良いので、選択操作が容易に行える。
なお、表示情報には、文字列（文字には数字も含む）、図形、記号、絵等を挙げることができる。
【０００７】
（１）前記指定手段が、前記表示手段に備わるタッチパネル、もしくは前記位置を移動させるスクロール手段のいずれかを有してもよい。
タッチパネルやスクロール手段を用いて、選択操作を容易に行える。
【０００８】
（２）前記表示情報が、Ｇコード情報を含んでもよい。
表示情報中からGコードを選択することで、番組の予約録画が行える。
【０００９】
（３）携帯端末装置が、前記表示手段での表示内容に含まれる情報が、Ｇコード情報であるか否かを判定するＧコード判定部と、前記Ｇコード判定部での判定に対応して、前記表示手段での表示を変更させる表示変更部と、をさらに具備してもよい。
Ｇコード判定部で表示内容中に含まれるGコードを判別することで、Gコードを他の表示情報と異なるように表示することができる。例えば、Ｇコードの強調表示を行い、Ｇコードの選択がより容易に行えるようにすることができる。
【００１０】
（４）携帯端末装置が、ネットワークを介して、前記コマンド生成手段のコマンド用の制御コードを取得する外部情報入力部をさらに具備してもよい。
コマンド用の制御コードを取得することで、種々の制御対象を制御することが可能となる。
【発明の効果】
【００１１】
本発明によれば、録画予約の対象を簡便に選択できる携帯端末装置を提供することができる。
【発明を実施するための最良の形態】
【００１２】
以下、図１乃至図７を参照し本発明の第１の実施の形態に係る端末装置について説明する。図１は、本実施の形態の端末装置の構成を示すブロック図である。
尚、本実施の形態の端末装置は、携帯用の端末装置でありリモートコントローラ（以下リモコンと称する）１１を採用した場合を例示するが、リモコン、携帯電話、携帯用コンピュータ等を含む携帯端末装置全般に適用できる。
【００１３】
図１に示すように、リモコン１１は、バス１３に、ＣＰＵ（中央演算処理装置）１５、メモリ１７、リモコンキー制御部１９、赤外線制御部２１、液晶制御部２３、タッチパネル制御部２５、カメラ制御部２７、スキャナ制御部２９、及び、文字認識部（辞書）３１を接続して構成される。
【００１４】
ＣＰＵ１５は、各種のプログラム等に基づいて、認識手段、コマンド生成手段、Ｇコード判定部、及び、表示変更部として機能する。詳しくは後述する。
【００１５】
メモリ１７は、後述するカメラ４３もしくはスキャナ４５（図３参照）が撮影（取得）した画像を記憶（一時記憶）するものである。メモリ１７は例えばＲＡＭ（ランダムアクセスメモリ）や、ＶＲＡＭ（ビデオラム）等であるが、ＨＤ（ハードディスク）等を採用しても良い。
尚、メモリ１７の概念には後述するプログラム等を記録するＲＯＭ（リードオンリメモリ）、もしくはＥＰＲＯＭ等も含まれる。
【００１６】
リモコンキー制御部１９は、リモコン１１の本体前面側に備わるキー３３（図２及び図４参照）の操作に基づいて例えばＣＰＵ１５等への所定信号の出力の制御を行うものである。信号出力の制御にはキー３３の各操作を検出するとともに出力先を制御する場合がその一例として含まれる。
【００１７】
赤外線制御部２１は、例えばキー３３操作に基づいてＣＰＵ（コマンド生成手段）１５により生成されたコマンドを赤外線で出力すべく、リモコン１１の本体上方の側面側に備わる赤外線ポート３７（送信手段：図４参照）を制御するものである。このコマンドには、制御対象として例えばビデオレコーダ３５等へ出力する再生、早送り、停止、逆戻りや、録画予約等の各種制御コードが挙げられる。
【００１８】
液晶制御部２３は、リモコン１１の本体前面側に備わる液晶表示部３９（表示手段：図２及び図４参照）に各種画像を表示させる。この結果、液晶表示部３９に、例えば、初期画像（例えばメニュー画像等）、キー３３操作の選択を促す各種操作画面、カメラ４３等が取得した画像（ＴＶ欄の画像等）が表示される。
タッチパネル制御部２５は、液晶表示部３９に備わるタッチパネル（指定手段）４１にタッチした位置を検出し、タッチ位置に対応する検出信号を出力するものである。
【００１９】
ＣＰＵ１５は、タッチパネル制御部２５から出力される検出信号等に基づき、液晶表示部３９で表示する画像を変更させる。また、ＣＰＵ１５は、ビデオレコーダ３５等に出力すべきコマンドを生成して赤外線制御部２１に出力する。
【００２０】
ＣＰＵ（認識手段：コマンド生成手段）１５は、液晶表示部３９にカメラ等が取得したＴＶ欄の画像が表示されている場合に、タッチパネル４１のうちＧコードの表示位置がタッチされた際に、Ｇコードを後述する文字認識部（認識手段）を介して解読する。その結果、ＣＰＵ１５は録画予約、録画チャンネル、録画開始時間、及び、録画終了時間等の設定に係るコマンドを生成して赤外線制御部２１に出力する。
【００２１】
カメラ制御部２７は、例えば所定のキー３３操作に応じてリモコン１１の本体背面側に備わるカメラ４３（画像取得手段：図３参照）の起動及び焦点合わせ等を制御する。
また、カメラ制御部２７は、カメラ４３が例えば新聞紙上等のＴＶ欄（図５参照）４７から取得した所定のＴＶ欄（例えば図６に点線で示す領域４９）の画像をメモリ１７に記憶させるべく、画像取得情報をＣＰＵ１５に出力する。
ＣＰＵ１５は、画像取得情報が入力された場合、カメラ４３が撮影した画像をメモリ１７に記憶させるとともに、メモリ１７に記憶させたＴＶ欄の画像を表示させるコマンドを生成し液晶制御部２３に出力する。液晶制御部２３は、当該コマンドの入力でメモリ１７から上記ＴＶ欄の画像を読み出して液晶表示部３９に表示させる。
【００２２】
スキャナ制御部２９は、例えば所定のキー３３操作に応じてリモコン１１の本体背面側に備わるスキャナ４５（画像取得手段）を制御し、スキャナ４５が取得したＴＶ欄（例えば図６に点線で示す領域４９）の画像をメモリ１７に記憶させるべく、画像取得情報をＣＰＵ１５に出力する。画像取得情報を入力したＣＰＵ（画像取得手段の一部）１５は、上述と同様の処理を行い、かつ液晶制御部２３も上述と同様の制御を行う。
【００２３】
尚、本実施の形態においては、カメラ４３及びスキャナ４５を備えた場合を例示しているが、何れか一方であっても良いことは勿論である。
【００２４】
文字認識部（認識手段）３１は、ＣＰＵ１５が液晶表示部３９に表示されている画像からＧコードの指定（タッチパネル４１のタッチ）を認識した場合に、Ｇコードの解読を行うものである。
文字認識部３１は、論理回路等を用いたハードウエアで構成しても良いが、例えばＧコードの解読に必要な各種コード情報を提供するソフトウエア及びメモリで構成しても良いことは勿論である。
【００２５】
次に本実施の形態における録画予約の場合の動作について説明する。尚、録画予約の処理は図７に示す録画予約プログラムのフローチャートに基づいてＣＰＵ１５が実行するものである。
【００２６】
まずステップ７０１において、画像取得か否かを判定する。この判定は例えばリモコン１１に備わるカメラ用の画像取得キー（図示せず）がＯＮ操作されたか否かを判定することで行う。
画像取得キーのＯＮ操作により画像取得であると判定された場合、ステップ７０２において、カメラ制御部２７に起動命令を出力してカメラ４３を起動させ、例えば新聞紙上のＴＶ欄４７のうち所定の領域４９等のＴＶ欄を撮影する。
ステップ７０３において、撮影したＴＶ欄の画像をメモリ１７に一時的に保存する。ステップ７０４において、メモリ１７に一時的に保存されたＴＶ欄（領域４９）の画像を液晶表示部３９に表示する。
なお、この表示の際に、含まれているGコードを自動的に判定して、反転表示等の強調表示を行っておくと、利用者の選択の便宜となる。この判定は、タッチパネル４１のうち画像に対応する何れかの位置タッチされたことに基づいて行える。
【００２７】
続いてステップ７０５において、液晶表示部３９に表示された画像が指定されたか否かが判定される。この判定は、タッチパネル４１のうち画像に対応する何れかの位置タッチされたことに基づいて行える。
【００２８】
ステップ７０６において、タッチされた位置の表示情報の解析が行われる。ステップ７０７において、解析結果からタッチされた表示情報がＧコードであるか否かを判定する。この判定は、例えば、指定された表示情報が１桁から８桁の数字であるか否かに基づいて行われる。
また、必要に応じて、Ｇコードで表された内容が表示される。例えば、チャンネル、月日、録画開示時刻、録画時間である。
【００２９】
Ｇコードではないと判定された場合はステップ７０５に戻って、位置の指定を行う。
Ｇコードであると判定された場合はステップ７０８において、録画予約に関するコマンドを生成して、そのコマンドを赤外線ポート３７からビデオレコーダ３５に対し出力する。
ステップ７０９において、録画予約を終了するか否かが判定される。この録画予約の終了は、例えば、所定のキー３３が押圧されているか否かによって判定できる。
ステップ７０９で録画予約を終了すると判定された場合には、ステップ７１０において、今回撮影した画像をメモリ１７から消去し、本フローが終了となる。また、ステップ７０９で録画予約を終了しないと判定された場合には、ステップ７０５に戻って、位置の指定が行われ、追加の録画予約が行える。
【００３０】
本実施の形態においては、リモコン１１のカメラ４３等でＴＶ欄４７の任意の領域を撮影してメモリ１７に保存するとともに液晶表示部３９に表示させ、画像上（タッチパネル４１上）のＧコードの位置をタッチすることで、ＣＰＵ１５がＧコードの内容を解析し録画予約のコマンドを出力する。
このため、ビデオレコーダ３５等の録画予約の処理を間違えることなく、かつ簡単に行うことが可能で、しかもビデオレコーダ３５に仕組みの変更を図る必要も不要である。
新聞や雑誌等のＴＶ欄においてはＧコードが非常に密に印刷されており、撮影時に特定の番組を狙って撮影するのが多少難しい場合も考え得るが、液晶表示部３９に表示されたＴＶ欄の画像を手元で指定できるためその点の配慮は不要であり確実にＧコードの指定を行うことが可能である。
【００３１】
尚、ＣＰＵ１５は、タッチパネル４１がタッチされた場合、タッチされた位置の周囲の領域、特に左右方向の領域に対しコード情報があるか否かを捜索し、これにより僅かなタッチでもＧコードの解読処理を確実に行うというようにしても良い。また、操作性を考慮して液晶表示部３９に表示したＴＶ欄の画像を拡大表示することが可能となるようにしても良い。
【００３２】
次に、図８を参照し本発明の第２の実施の形態に係る端末装置について説明する。図８は、本実施の形態の端末装置の構成を示すブロック図である。尚、図１に示す部分と同一部分には同一符合を付して説明を省略する。
本実施の形態の端末装置も、携帯用の端末装置でありリモコン５０を採用した場合を例示するが、リモコン、携帯電話、携帯用コンピュータ等を含む携帯端末装置全般に適用できる。
【００３３】
図８に示すように、本例のリモコン５０は、タッチパネル４１を使用せず、スクロール制御部５１、及び、外部入出力部５３を備えて構成されている点が第１の実施の形態で説明したリモコン１１と相違する。その他は同様の構成である。
【００３４】
スクロール制御部５１は、例えばカメラ４３もしくはスキャナ４５の起動を検出した際に、カメラ４３等が取得し液晶表示部３９に表示したＴＶ欄の画像内に、例えば、カーソルや帯状の領域（図示せず：指定手段）を表示させる。また、スクロール制御部５１は、例えばリモコン５０に備わるスクロールのためのキー３３（スクロール手段）の操作を検出した場合に当該カーソル等を上方または下方にスクロールさせるものである。
【００３５】
スクロール制御部５１は、カーソル等をスクロールさせる際に、ＴＶ欄の画像内の各表示情報の大きさをＣＰＵ１５に判定させるとともに、カーソル等のサイズ（縦幅）を重なる表示情報（Ｇコード等）の大きさに対応させる機能を備えても良い。この場合、スクロール制御部５１は、液晶表示部３９に表示されたＴＶ欄の画像内の各表示情報の縦に複数に並ぶ各横一列の文字列毎にカーソル等を順次に最適なサイズに変更してスクロールさせることが可能となる。
【００３６】
ＣＰＵ１５は、スクロール後にリモコン５０に備わる例えば指定のためのキー３３（指定手段）がＯＮ操作された場合、カーソル等と重なる表示情報（Ｇコード等）の解析処理、コマンド生成処理（即ち録画予約コマンドの生成処理）、及び、コマンド送信処理（即ちビデオレコーダ３５への送信処理）等を行う。
【００３７】
外部入出力部（外部情報入力部）５３は、例えば、ビデオレコーダ３５の各種制御コードや各種番組情報等を外部（例えばサーバ５５）から受信する。
【００３８】
外部入出力部５３は、有線もしくは無線（例えば電波、赤外線等）で直接にネットワーク（インターネット）上のサーバ５５にアクセスする場合と、ルータ５７を介してネットワーク上のサーバ５５にアクセスする場合とがあるが、何れの構成でも良い。
【００３９】
外部入出力部５３を使用するのは、一つには、図８にも示すように、例えば家庭内の任意のメーカの各種機器（ＡＶ機器５９、ビデオレコーダ３５等）で家庭内ＬＡＮを組むユーザに対応し得るようにするためである。
【００４０】
例えば一つのリモコン５０で家庭内等の各機器のコントロールを行うことが望まれる場合において、外部入出力部５３によって、例えばサーバ５５から新しいビデオレコーダ３５用の各種制御コードを取得することができる。
また、カメラ４３等で撮影したＴＶ欄４７のＧコードに対応する番組情報をインターネット等から取得して、液晶表示部３９上に表示することができる。
【００４１】
本実施の形態で録画予約を行う場合には、第１の実施の形態でのタッチパネル４１でのタッチに代えて、スクロールキーによるカーソル等のスクロール、及び、指定キーの検出によって位置の指定を行う。その他は基本的に第１の実施の形態の場合と同様であるため詳しい説明は省略する。
【００４２】
また、リモコン５０からの各種機器の制御コード等の取得についても第１の実施形態をほぼ同様であり、詳しい説明を省略する。
【００４３】
本実施の形態においては、リモコン１１のカメラ４３等でＴＶ欄４７の任意の領域を撮影してメモリ１７に保存した後、カーソル等とともに液晶表示部３９に表示させる。そして、スクロールキーの操作及び選択キーの操作によって、ＣＰＵ１５がカーソル等と重なるＧコードの内容を解析し録画予約のコマンドを出力する。
このため、ビデオレコーダ３５等の録画予約の処理を間違えることなく、かつ簡単に行うことが可能で、しかもビデオレコーダ３５に仕組みの変更を図る必要も不要である。
【図面の簡単な説明】
【００４４】
【図１】本発明の第１の実施の形態の構成を示すブロック図である。
【図２】第１の実施の形態に適用するリモコンの前面側を示す斜視図である。
【図３】第１の実施の形態に適用するリモコンの背面側を示す斜視図である。
【図４】第１の実施の形態に適用するリモコンの赤外線ポート側を示す斜視図である。
【図５】例えば新聞紙上のＴＶ欄の一部を示す正面図である。
【図６】例えば新聞紙上のＴＶ欄のうち任意の位置を撮影する際の一例を示す正面図である。
【図７】第１の実施の形態の動作を示すフローチャートである。
【図８】本発明の第２の実施の形態の構成を示すブロック図である。
【符号の説明】
【００４５】
１１…リモコン、１３…バス、１５…ＣＰＵ、１７…メモリ、１９…リモコンキー制御部、２１…赤外線制御部、２３…液晶制御部、２５…タッチパネル制御部、２７…カメラ制御部、２９…スキャナ制御部、３１…文字認識部、３３…キー、３５…ビデオレコーダ、３７…赤外線ポート、３９…液晶表示部、４１…タッチパネル、４３…カメラ、４５…スキャナ、４７…ＴＶ欄、５０…リモコン、５１…スクロール制御部、５３…外部入出力部、５５…サーバ、５７…ルータ、５９…ＡＶ機器
【図１】
2005260672.tif 000003
【図２】
2005260672.tif 000004
【図３】
2005260672.tif 000005
【図４】
2005260672.tif 000006
【図５】
2005260672.tif 000007
【図６】
2005260672.tif 000008
【図７】
2005260672.tif 000009
【図８】
2005260672.tif 000010